(57)【特許請求の範囲】
【請求項１】
有機酸と、粒径１５０μｍ〜１ｍｍの粒子の重量が全粒子重量の６０％以上である炭酸水素ナトリウムとを含有し、これらを混合・攪拌して得られる粒状入浴剤であって、前記有機酸及び前記炭酸水素ナトリウムが独立の粒子状態で存在する粒状入浴剤。
【請求項２】
炭酸水素ナトリウムが水溶性高分子で被覆されたものである請求項１記載の粒状入浴剤。
【請求項３】
有機酸と、粒径１５０μｍ〜１ｍｍの粒子の重量が全粒子重量の６０％以上である炭酸水素ナトリウムとを混合・撹拌することを特徴とする、前記有機酸及び前記炭酸水素ナトリウムが独立の粒子状態で存在する粒状入浴剤の製造方法。
【発明の詳細な説明】
【０００１】
【発明の属する技術分野】
本発明は、入浴剤組成物、さらに詳しくは浴湯に十分な炭酸ガスを溶解させることができる粒状入浴剤組成物に関する。
【０００２】
【従来の技術】
入浴剤は、浴湯に香り、色調を与えたり、皮膚に適度な刺激を与えることにより、血液の循環を活発にし、疲労回復、新陳代謝を増進させるものである。一方浴湯に溶解した炭酸ガスは、皮膚に浸透し、末梢血管を広げて血行を促進する効果、保温効果、爽快感付与効果等を有する。このため、炭酸塩と有機酸とを配合し、浴湯に溶解することにより炭酸ガスが発生する粉末状または錠剤型の入浴剤が市販されている。
【０００３】
【発明が解決しようとする課題】
しかながら、上記粉末状の入浴剤は、浴湯に添加すると直ちに炭酸塩と有機酸とが反応し、大部分の炭酸ガスが浴湯の表面付近で発生するため、浴湯に十分な炭酸ガスを溶解させることが困難である。また錠剤型の入浴剤は、賦形剤、結合剤等を用いて所定の形状にする必要があり、工程が煩雑であり、炭酸ガスの溶解に時間がかかるという問題があった。
【０００４】
したがって本発明は、炭酸塩と有機酸の配合により、血行促進効果等を発揮するに十分な量の炭酸ガスを短時間に溶解させることができる粒状入浴剤組成物を提供することを目的とする。
【０００５】
【課題を解決するための手段】
かかる実状に鑑み、本発明者らは上記目的を達成すべく鋭意研究した結果、有機酸及び特定粒径の炭酸塩を含有する粒状入浴剤組成物が、血行促進効果等を発揮するに十分な量の炭酸ガスを短時間に浴湯に溶解させることができることを見出し、本発明を完成させた。
【０００６】
すなわち本発明は、有機酸と、粒径１５０μｍ〜１ｍｍの粒子の重量が全粒子重量の６０％以上である炭酸水素ナトリウムとを含有し、これらを混合・攪拌して得られる粒状入浴剤組成物を提供するものである。
また、本発明は、有機酸と、粒径１５０μｍ〜１ｍｍの粒子の重量が全粒子重量の６０％以上である炭酸水素ナトリウムとを混合・撹拌することを特徴とする粒状入浴剤組成物の製造方法を提供するものである。
【０００７】
【発明の実施の形態】
本発明において粒状とは、粒径１μｍ〜３ｍｍ程度のものであり、一般的に粉末状、粒状、顆粒状とよばれるものを含む。また本発明において、例えば粒径１５０μｍ以上の粒子が「５０％以上」であるとは、粒径１５０μｍ以上の粒子の重量が、全粒子重量の５０％以上であることをいう。また、該粒径はふるい分け法により測定できる。
【０００８】
本発明に用いる有機酸としては例えば、クエン酸、酒石酸、リンゴ酸、マロン酸、ピリドンカルボン酸、コハク酸、フマル酸、アジピン酸、グルタル酸等が挙げられ、これらの有機酸を１種または２種以上用いることができる。このうちコハク酸が好ましい。かかる有機酸の粒径は１μｍ〜３ｍｍ程度であればよい。
【０００９】
本発明に用いる炭酸塩は、粒径１５０μｍ以上の粒子が５０％以上、好ましくは６０％以上、特に好ましくは７０％以上のものである。粒径１５０μｍ以上の粒子が５０％以上であれば、粒径が大きい粒子が多いため浴湯に添加したとき溶解に時間を要し、粒子が浴槽の下方まで沈降してすでに溶解した有機酸と徐々にかつ浴湯の全領域で反応するので、浴湯中に炭酸ガスが十分に溶解する。
【００１０】
また本発明に用いる炭酸塩は、粒径１５０μｍ〜１ｍｍの粒子が５０％以上、特に６０％以上、さらに特に７０％以上であることが好ましい。粒径１５０μｍ〜１ｍｍの粒子が５０％以上であれば、浴湯に添加したときの溶解時間が長すぎることがなく、短時間で浴湯中に炭酸ガスを十分に溶解させることができる。
【００１１】
上記粒径分布を有する炭酸塩は、常法により製造することができる。
【００１２】
炭酸塩の種類としては例えば、炭酸水素ナトリウム、炭酸ナトリウム、セスキ炭酸ナトリウム、炭酸カリウム、炭酸水素カリウム、炭酸アンモニウム、炭酸マグネシウム等が挙げられ、これらを１種または２種以上用いることができる。このうち炭酸ナトリウム、炭酸水素ナトリウムが好ましい。
【００１３】
本発明においては、かかる炭酸塩をさらに水溶性高分子で被覆してもよい。水溶性高分子で被覆することにより、湿気が存在しても有機酸と反応して炭酸ガスを発生することがなく、保存安定性が向上するとともに、浴湯に添加したときの炭酸塩の溶解速度を調節することが可能となる。
【００１４】
水溶性高分子としては例えば、ポリエチレングリコール、デキストリン、キサンタンガム、デンプン、グァーガム、カラギーナン、寒天、ゼラチン、カゼイン、アルブミン、コラーゲン、メチルセルロース、エチルセルロース、カルボキシメチルセルロース、ヒドロキシメチルセルロース、可溶性デンプン、アルギン酸塩、ポリビニルアルコール、ポリアクリル酸ナトリウム等が挙げられ、これらを１種または２種以上用いることができる。
【００１５】
被覆は常法にしたがい行うことができる。すなわち例えば、水溶性高分子を適当な濃度となるように水に溶解し、適宜撹拌しながら前記炭酸塩を加える。これを適当な方法により乾燥させることにより、水溶性高分子に被覆された炭酸塩を得ることができる。
【００１６】
なお本発明の粒状入浴剤組成物の０．０１重量％水溶液のｐＨ（２５℃）は、５〜７、特に５．５〜６．５であることが好ましい。ｐＨが５〜７であれば、発生した炭酸ガスが浴湯中でＣＯ2 として存在し、血行促進等の効果を発揮する。
【００１７】
本発明においては、本発明の効果を阻害しない範囲で、通常入浴剤に用いられている硫酸マグネシウム等の無機塩類、ホホバ油等の油性成分、グリセリン脂肪酸エステル等の界面活性剤、ビタミンＡ等のビタミン類、ペプシン等の蛋白分解酵素、着色料、香料（カプセル化してもよい）等を添加することができる。
【００１８】
本発明の粒状入浴剤組成物は、所定の粒径の炭酸塩、有機酸、及び必要に応じて他の添加物を混合し、適宜撹拌することによって得ることができる。
【００１９】
【実施例】
次に実施例を示して本発明をさらに詳細に説明するが、本発明は以下の実施例に限定されるものではない。
【００２０】
実施例１、比較例１
表１に示す配合で、粒状入浴剤組成物を常法にしたがって製造した。
【００２１】
試験例１
上記で得られた粒状入浴剤組成物４０ｇを、４０℃、１５０ｌの浴湯に添加し、１分間放置した後、浴湯中の炭酸ガス濃度を炭酸ガス電極を用いて測定した。結果を表１に示す。
【００２２】
【表１】
0004413287.tif 000002
【００２３】
表１より、実施例１及び２の場合は比較例１及び２と比べて溶存炭酸ガス濃度が１．５〜２倍であることが確認された。
【００２４】
【発明の効果】
本発明の粒状入浴剤組成物は、炭酸塩と有機酸の配合により、血行促進効果等を発揮するに十分な量の炭酸ガスを短時間に溶解させることができる。